(57)【要約】【課題】ＥＰＧから番組の視聴予約あるいは録画予約を行う際に予約時間帯が重複した場合、その時間帯が重複する少なくとも一方の番組の番組予約情報をＥＰＧから変更可能とし、他方の番組の視聴予約あるいは録画予約できるようにする。【解決手段】デジタル放送受信機１０は、テレビジョン放送信号を受信するチューナ／復調部１２、受信したテレビジョン信号に含まれるＥＰＧを抽出するトランスポートデコーダ１４、抽出したＥＰＧを格納するメモリ１５、そのＥＰＧを利用して番組の視聴予約あるいは録画予約を行う制御部１７を備える。制御部１７は、前記ＥＰＧを利用して視聴予約あるいは録画予約を行う番組の少なくとも一部の時間帯が重複したときに、その時間帯が重複する少なくとも一方の番組の番組予約情報（開始時刻及び／又は終了時刻など）を前記ＥＰＧから変更して、他方の番組の視聴予約あるいは録画予約を行う。【選択図】図１
2006217364.tif 000002
【特許請求の範囲】
【請求項１】
テレビジョン放送信号を受信する受信手段を備えたデジタル放送受信機において、視聴あるいは録画可能な番組が登録された電子番組表を取得する電子番組表取得手段と、該取得した電子番組表から番組の視聴予約あるいは録画予約を行う番組予約手段とを備え、該番組予約手段は、前記視聴予約あるいは録画予約を行う番組の少なくとも一部の時間帯が重複したときに、該時間帯が重複する少なくとも一方の番組の番組予約情報を前記電子番組表から変更して、他方の番組の視聴予約あるいは録画予約を行えるようにしたことを特徴とするデジタル放送受信機。
【請求項２】
請求項１に記載のデジタル放送受信機において、前記番組予約情報は、番組の視聴予約あるいは録画予約の開始時刻／終了時刻，番組名，チャンネル，ジャンルのいずれか複数を含み、前記番組予約手段は、前記時間帯が重複する少なくとも一方の番組の視聴予約あるいは録画予約の開始時刻及び／又は終了時刻を指定可能としたことを特徴とするデジタル放送受信機。
【請求項３】
請求項１又は２に記載のデジタル放送受信機において、前記番組予約手段は、前記時間帯が重複する番組の視聴あるいは録画の優先順位を、ユーザ操作に従って指定可能としたことを特徴とするデジタル放送受信機。
【請求項４】
請求項３に記載のデジタル放送受信機において、前記電子番組表から取得される番組毎のジャンルデータに優先順位を設定して有し、前記番組予約手段は、前記時間帯が重複する番組の視聴あるいは録画の優先順位を、該重複する番組のジャンルデータに基づいて指定可能としたことを特徴とするデジタル放送受信機。
【請求項５】
請求項１に記載のデジタル放送受信機において、前記番組予約手段は、前記電子番組表から視聴予約あるいは録画予約された番組の少なくとも一部の時間帯が、前記電子番組表に表示されていない放送局の番組の時間帯に重複したときに、前記電子番組表から視聴予約あるいは録画予約された番組の番組予約情報を前記電子番組表から変更して、前記電子番組表に表示されていない放送局の番組の視聴予約あるいは録画予約を行えるようにしたことを特徴とするデジタル放送受信機。
【請求項６】
請求項１乃至５のいずれか１に記載のデジタル放送受信機において、前記番組予約手段は、前記電子番組表から視聴予約あるいは録画予約を行う番組の少なくとも一部の時間帯が重複しているかどうかを判定する手段と、その結果、重複すると判定された番組の表示形態が他の番組の表示形態と異なるように前記電子番組表を加工する手段とを備えていることを特徴とするデジタル放送受信機。
【請求項７】
テレビジョン放送信号を受信する受信手段を備えたデジタル放送受信機の番組予約方法において、視聴あるいは録画可能な番組が登録された電子番組表を取得するステップと、該取得した電子番組表から番組の視聴予約あるいは録画予約を行うステップと、該視聴予約あるいは録画予約を行う番組の少なくとも一部の時間帯が重複したときに、該時間帯が重複する少なくとも一方の番組の番組予約情報を前記電子番組表から変更して、他方の番組の視聴予約あるいは録画予約を行うステップとを有することを特徴とする番組予約方法。
【請求項８】
請求項７に記載の番組予約方法において、前記番組予約情報は、番組の視聴予約あるいは録画予約の開始時刻／終了時刻，番組名，チャンネル，ジャンルのいずれか複数を含み、前記時間帯が重複する少なくとも一方の番組の視聴予約あるいは録画予約の開始時刻及び／又は終了時刻を指定することを特徴とする番組予約方法。
【発明の詳細な説明】
【技術分野】
【０００１】
本発明は、デジタル放送受信機及び番組予約方法、より詳細には、放送データとして送られてくる電子番組表（ＥＰＧ）から番組の予約を行うためのデジタル放送受信機及び該デジタル放送受信機による番組予約方法に関する。
【背景技術】
【０００２】
放送データとして送られてくる電子番組表（ＥＰＧ：Electric Program Guide）を利用して番組の視聴予約や録画予約（以下、視聴予約で代表する）を行う際に、既に視聴予約されている番組と時間帯が重複する別の番組を視聴予約したい場合には、既に視聴予約されている番組を一旦取り消してから新たに別の番組の視聴予約を行う必要があった。また、ＥＰＧを利用した視聴予約は番組単位で行われるために、番組の視聴時間の変更などを行うことができず、例えば、視聴予約した番組の視聴時間が一部重複している場合に、重複していない部分だけを視聴するといった方法はできなかった。さらに、ＥＰＧを表示するときに、電子番組情報を取得できない番組については、その番組名等の情報はＥＰＧ上に表示されないため、ＥＰＧを利用して視聴予約や録画予約等の番組予約を行うことができなかった。
【０００３】
従来、ＥＰＧを利用してそのＥＰＧ上に表示されない番組を視聴予約あるいは録画予約を行うようにしたものがある。例えば、特許文献１には、放送データとして送られてくる電子番組表（ＥＰＧ）のほかにユーザが新たに受信チャンネルと時間を設定して仮の電子番組情報を作成し、電子番組表（ＥＰＧ）を表示するときに、当該ＥＰＧに上記作成した仮の電子番組情報も含めて同時に表示し、上記作成した仮の電子番組情報に基づいて番組予約できるようにした技術が記載されている。
【特許文献１】特開２００３−２１９３３１号公報
【発明の開示】
【発明が解決しようとする課題】
【０００４】
しかしながら、上記特許文献１に記載の発明は、既に視聴予約あるいは録画予約されている番組と時間帯の重複する別の番組を予約できるようにはなっていないため、既に視聴予約あるいは録画予約されている番組の視聴あるいは録画時間の変更などを行うことができず、例えば、視聴あるいは録画予約した番組の時間帯が一部重複している場合に、重複していない部分だけを選択的に視聴あるいは録画したり、重複した番組の時間帯を分けて（例えば、一方を前半３０分だけ、他方を後半３０分だけ）視聴あるいは録画するようなことはできなかった。
【０００５】
本発明は、上述のごとき実情に鑑みてなされたものであり、電子番組表（ＥＰＧ）から番組の視聴予約あるいは録画予約を行う際に予約時間帯が重複した場合、その時間帯が重複する少なくとも一方の番組の番組予約情報をＥＰＧから変更可能とし、他方の番組の視聴予約あるいは録画予約できるようにすること、を目的としてなされたものである。
【課題を解決するための手段】
【０００６】
本発明は、こうした課題を解決するための手段を提供するもので、以下の技術手段を構成する。上記目的を達成するために、本発明の第１の技術手段は、テレビジョン放送信号を受信する受信手段を備えたデジタル放送受信機において、視聴あるいは録画可能な番組が登録された電子番組表を取得する電子番組表取得手段と、該取得した電子番組表から番組の視聴予約あるいは録画予約を行う番組予約手段とを備え、該番組予約手段は、前記視聴予約あるいは録画予約を行う番組の少なくとも一部の時間帯が重複したときに、該時間帯が重複する少なくとも一方の番組の番組予約情報を前記電子番組表から変更して、他方の番組の視聴予約あるいは録画予約を行えるようにしたことを特徴としたものである。
【０００７】
第２の技術手段は、第１の技術手段において、前記番組予約情報は、番組の視聴予約あるいは録画予約の開始時刻／終了時刻，番組名，チャンネル，ジャンルのいずれか複数を含み、前記番組予約手段は、前記時間帯が重複する少なくとも一方の番組の視聴予約あるいは録画予約の開始時刻及び／又は終了時刻を指定可能としたことを特徴としたものである。
【０００８】
第３の技術手段は、第１又は第２の技術手段において、前記番組予約手段は、前記時間帯が重複する番組の視聴あるいは録画の優先順位を、ユーザ操作に従って指定可能としたことを特徴としたものである。
【０００９】
第４の技術手段は、第３の技術手段において、前記電子番組表から取得される番組毎のジャンルデータに優先順位を設定して有し、前記番組予約手段は、前記時間帯が重複する番組の視聴あるいは録画の優先順位を、該重複する番組のジャンルデータに基づいて指定可能としたことを特徴としたものである。
【００１０】
第５の技術手段は、第１の技術手段において、前記番組予約手段は、前記電子番組表から視聴予約あるいは録画予約された番組の少なくとも一部の時間帯が、前記電子番組表に表示されていない放送局の番組の時間帯に重複したときに、前記電子番組表から視聴予約あるいは録画予約された番組の番組予約情報を前記電子番組表から変更して、前記電子番組表に表示されていない放送局の番組の視聴予約あるいは録画予約を行えるようにしたことを特徴としたものである。
【００１１】
第６の技術手段は、第１乃至第５のいずれか１の技術手段において、前記番組予約手段は、前記電子番組表から視聴予約あるいは録画予約を行う番組の少なくとも一部の時間帯が重複しているかどうかを判定する手段と、その結果、重複すると判定された番組の表示形態が他の番組の表示形態と異なるように前記電子番組表を加工する手段とを備えていることを特徴としたものである。
【００１２】
第７の技術手段は、テレビジョン放送信号を受信する受信手段を備えたデジタル放送受信機の番組予約方法において、視聴あるいは録画可能な番組が登録された電子番組表を取得するステップと、該取得した電子番組表から番組の視聴予約あるいは録画予約を行うステップと、該視聴予約あるいは録画予約を行う番組の少なくとも一部の時間帯が重複したときに、該時間帯が重複する少なくとも一方の番組の番組予約情報を前記電子番組表から変更して、他方の番組の視聴予約あるいは録画予約を行うステップとを有することを特徴としたものである。
【００１３】
第８の技術手段は、第７の技術手段において、前記番組予約情報は、番組の視聴予約あるいは録画予約の開始時刻／終了時刻，番組名，チャンネル，ジャンルのいずれか複数を含み、前記時間帯が重複する少なくとも一方の番組の視聴予約あるいは録画予約の開始時刻及び／又は終了時刻を指定することを特徴としたものである。
【発明の効果】
【００１４】
本発明によれば、電子番組表（ＥＰＧ）から番組の視聴予約あるいは録画予約を行う際に予約時間帯が重複した場合、その時間帯が重複する少なくとも一方の番組の番組予約情報をＥＰＧから変更可能とし、他方の番組の視聴予約あるいは録画予約できるようにしたため、当該番組と少なくとも一部の時間帯が重複する別の番組の視聴予約あるいは録画予約を簡単に行うことができる。
【発明を実施するための最良の形態】
【００１５】
本発明によるデジタル放送受信機の実施形態の一例を、図１乃至図３に基づいて以下に説明する。
図１は、本発明の一実施形態に係るデジタル放送受信機の構成例を示すブロック図で、図中、１０はデジタル放送受信機で、該デジタル放送受信機１０は、ＢＳ／ＣＳ／地上波デジタル放送などのテレビジョン放送信号を受信するためのアンテナ１１と、アンテナ１１からテレビジョン放送信号を入力して復調等を行うチューナ／復調部１２と、一時的にデータを保持するためのＲＡＭ１３と、チューナ／復調部１２からのテレビジョン放送信号を音声信号，映像信号，データ放送信号に分けるトランスポートデコーダ１４と、テレビジョン放送信号などに含まれる電子番組表（以下、ＥＰＧ）を格納するＤＲＡＭなどのメモリ１５と、リモコン２２からの操作信号を受信するための受光部１６と、ＣＰＵを含む制御部１７と、一時的にデータを保持するためのＲＡＭ１８と、トランスポートデコーダ１４からのＡＶ信号（映像信号・音声信号）を復号するＡＶデコーダ１９と，ＡＶデコーダ１９からの映像信号及び音声信号をＤ／Ａ変換して表示装置２３に出力するエンコーダ２０と、各種メニューやＥＰＧなどをＡＶデコーダ１９からの映像信号に重畳して表示装置２３に表示出力するためのＯＳＤコントローラ２１と、を備えている。
【００１６】
図１において、アンテナ１１で受信されたテレビジョン放送信号はチューナ／復調部１２に入力される。チューナ／復調部１２では視聴者の指示に従って所定のネットワーク（ＢＳデジタル放送，ＣＳデジタル放送，地上波デジタル放送など）及びチャンネルが選局され、そのテレビジョン放送信号は、復調処理、誤り訂正処理され、トランスポートデコーダ１４に入力される。トランスポートデコーダ１４では音声信号，映像信号，データ信号に分けられる。
【００１７】
更に、ＡＶデコーダ１９では、トランスポートデコーダ１４から入力された映像信号・音声信号を復号してエンコーダ２０に入力する。エンコーダ２０では、ＡＶデコーダ１９からの映像信号をＤ／Ａ変換し、例えば、ＮＴＳＣコンポジット信号を生成し、また、音声信号をＤ／Ａ変換し、例えば、右（Ｒ）音のアナログ信号及び左（Ｌ）音のアナログ信号を生成して表示装置２３に出力する。表示装置２３は、液晶ディスプレイやプラズマディスプレイなどの映像表示装置である。
【００１８】
制御部１７は、図示しないＣＰＵ及びＲＯＭ等を備え、通常、リモコン２２からのユーザ操作によって受光部１６から送られるコントロール信号と、ＲＯＭ等に記憶されたシステム制御プログラムにより管理・制御され、チューナ選局処理等のデジタル放送受信機１０全体の制御を司る。また、制御部１７は、ＥＰＧを利用した番組の予約処理を制御する。ＯＳＤコントローラ２１は、制御部１７からの指示に従って、メモリ１５に格納されたＥＰＧを出力し、ＡＶデコーダ１９からの映像信号に重畳させる処理を行う。また、メモリ１５には番組の視聴予約あるいは録画予約を行う際の番組予約データが格納される。この番組予約データはユーザ操作によってリモコン２２から入力される。
【００１９】
上記のごとく構成された、本発明のデジタル放送受信機１０は、テレビジョン放送信号などから取得されるＥＰＧを利用して番組の視聴予約あるいは録画予約を行う際に予約時間帯が重複した場合、その時間帯が重複する少なくとも一方の番組の番組予約情報（例えば、番組の視聴予約あるいは録画予約の開始時刻／終了時刻，番組名，チャンネル，ジャンルなど）をＥＰＧから変更可能とし、当該番組と少なくとも一部の時間帯が重複する別の番組の視聴予約あるいは録画予約を行えるようにしたものである。尚、以下の説明において、番組の視聴予約を行う場合を代表例として説明するが、録画予約も含むものとする。
【００２０】
図１において、テレビジョン放送の視聴予約を設定する際に、放送データと一緒に送信されているＥＰＧはトランスポートデコーダ１４で分離、抽出されてメモリ１５に格納される。リモコン２２あるいは他の専用入力装置などからの操作信号により制御部１７からＯＳＤコントローラ２１に指示が出て、ＯＳＤコントローラ２１が上記ＥＰＧをＡＶデコーダ１９からの映像データに重畳し、このＥＰＧが重畳された映像データはエンコード２０から表示装置２３に表示出力される。
【００２１】
次に、視聴者は、ＥＰＧを見ながらリモコン２２から視聴予約する番組を選択して視聴予約する番組を設定する。このとき、番組の放送時間が重複してしまう番組があってもすべて番組予約データとしてメモリ１５に格納される。メモリ１５に格納された番組予約データに含まれる番組の視聴開始時刻と終了時刻、チャンネルなどはＥＰＧでデータ化されているため制御部１７で検知され、視聴予約された複数の番組の少なくとも一部の時間帯が重複しているかどうかを判定することができる。この際、視聴者が一見して重複予約された番組がわかるように、該当番組の表示形態（例えば、番組表示枠の色や、表示枠内の色、表示枠のサイズ、形状など）が他の番組のものと異なるようにＥＰＧを加工して表示してもよい。このＥＰＧの加工処理は、ＯＳＤコントローラ２１により実行される。
【００２２】
尚、デジタル放送受信機１０における制御部１７，ＯＳＤコントローラ２１，及びメモリ１５が本発明の番組予約手段に該当する。また、アンテナ１１及びチューナ／復調部１２が本発明の電子番組表取得手段に該当する。
【００２３】
本実施形態では、アンテナ１１及びチューナ／復調部１２により受信されるテレビジョン放送信号からＥＰＧを取得する構成としているが、インターネットなどのネットワークを介してＥＰＧを取得する構成としてもよい。この場合、デジタル放送受信機１０は、上記ネットワークに接続するための通信手段（図示せず）を備えるようにする。
【００２４】
図２は、図１に示したデジタル放送受信機１０により表示されるＥＰＧの画面例を示す図で、図中、３０はＥＰＧを示す。尚、図中、縦方向に放送局名（本例ではＡ局，Ｂ局，Ｃ局，…）、横方向に時間帯（本例では、７：００〜８：００，８：００〜９：００の２時間）を示している。図２（Ａ）において、視聴者はこのＥＰＧ３０を見ながら視聴予約したい番組を選択して登録する。例えば、Ａ局（１チャンネル）の７：００〜８：００の時間帯でニュース３１と、Ｃ局（１０チャンネル）の７：００〜７：３０の時間帯でアニメ３２とを予約した場合を想定する。この場合、７：００〜７：３０の時間帯が重複してしまうことになる。
【００２５】
上記のようにＥＰＧを利用して登録した番組の番組予約データの放送時間帯が重複してしまう場合、どちらを優先して視聴するかを決めるための優先順位と、重複した番組それぞれの視聴時間（すなわち、視聴の開始時刻及び／又は終了時刻）をリモコン２２から入力し、ＥＰＧ３０から登録した番組予約データを変更する。例えば、優先順位の高い方から、アニメ３２，ニュース３１の順に設定し、さらに、アニメ３２を７：００〜７：３０の時間帯、ニュース３１を７：３０〜８：００の時間帯に設定する（この設定順序は前後してもよい）。変更された番組予約データはメモリ１５に格納され、この番組予約データが変更されたＥＰＧ３０が画面に表示される。このＥＰＧ３０の画面例を図２（Ｂ）に示す。このように、アニメ３２は７：００〜７：３０の時間帯で視聴予約され、ニュース３１は７：３０〜８：００の時間帯で視聴予約される。
【００２６】
このあと、デジタル放送受信機１０は、視聴予約の開始時刻になると優先順位により優先される番組（アニメ３２）を選局し、設定した時間帯（７：００〜７：３０）で表示装置２３に表示出力し、この優先視聴番組の視聴時間帯が終了あるいは経過すると、重複予約したもうひとつの番組（ニュース３１）を選局し、視聴予約の終了時刻（８：００）まで表示装置２３に表示出力する。このように、視聴者は、重複予約された少なくとも一方の番組の番組予約情報（例えば、視聴予約の開始時刻及び／又は終了時刻など）をＥＰＧから変更して、他方の番組の視聴予約を行うことができる。
【００２７】
本実施形態では、７：００〜７：３０の時間帯と、７：３０〜８：００の時間帯に別々の番組を視聴できるようにしたが、後半のニュース３１を視聴しない場合には、ニュース３１に時間帯を設定しないようにしてもよく、この場合、アニメ３２の終了する７：３０の時点で視聴終了となる。
【００２８】
本実施形態では、ニュース３１の視聴開始時刻のみを変更（７：００から７：３０に変更）したが、両方の番組の視聴時間帯（視聴の開始時刻及び／又は終了時刻）を変更してもよい。重複予約された番組の視聴時間帯が完全に重なった場合には、両方の番組の視聴時間帯を調整して両番組とも部分的に視聴できるようにしてもよい。また、どちらか一方の番組のみ全て視聴したい場合には、視聴しない番組の番組予約データを消去することもできる。また、重複予約可能な番組数は２つ以上であればよく、３つ以上の番組が重なった場合でも同様に視聴予約する時間帯を変更することができる。
【００２９】
重複予約された番組の視聴の優先順位を決定するための別の実施形態として、例えば、ＥＰＧ３０に含まれる番組の種類別データ（ジャンルデータ）に優先順位を予め付与しておいてもよい。このジャンルデータとは、提供される番組毎に予め決められたものであって、例えば、ニュース，スポーツ，映画，アニメ，バラエティ，ドラマなどに分類され、各番組の番組予約データとして格納される。重複予約された番組を視聴する際、ジャンルデータの優先順位により、視聴を優先させる番組を自動的に決定できる。本実施形態の場合、アニメ３２の優先順位をニュース３１よりも高く設定しておけば、アニメ３２を優先的に視聴することができる。また、別の実施形態として、ＥＰＧ３０に含まれる番組に出演する出演者データ（例えば、イ○ローなど）に優先順位を予め付与しておいてもよい。
【００３０】
また、別の実施形態として、ＥＰＧを利用して視聴予約された番組（例えばデジタル放送の番組）の少なくとも一部の時間帯が、ＥＰＧに表示（登録）されていない放送局の番組（例えばアナログ放送の番組）の時間帯に重複したときに、デジタル放送の番組の番組予約データをＥＰＧから変更して、アナログ放送の番組の視聴予約を行えるようにしてもよい。本実施形態の場合、デジタル放送受信機１０は、デジタル放送以外の他の放送番組（アナログ放送の番組など）を受信する機能を備え、ＥＰＧ上に表示させたデジタル放送の番組の番組予約データを、アナログ放送の番組の番組予約データに変更することができる。視聴予約あるいは録画予約する番組の時間帯が、デジタル放送の番組と、アナログ放送の番組とで完全に一致している場合、ＥＰＧを利用することにより、予約する番組の時間帯を調整する必要がなくなるため、アナログ放送の番組を簡単に視聴予約あるいは録画予約することができる。
【００３１】
図３は、本発明のデジタル放送受信機１０による番組予約方法の一例を説明するためのフロー図である。まず、デジタル放送受信機１０は、ＥＰＧを表示させ、視聴者により番組の予約設定がされたかどうかを判断し（ステップＳ１）、番組の予約設定がされたと判断した場合（ＹＥＳの場合）、番組予約処理を実行する（ステップＳ２）。また、上記ステップＳ１において、番組の予約設定がされていないと判断した場合（ＮＯの場合）、上記ステップＳ１で予約設定処理の待機状態となる。次に、デジタル放送受信機１０は、番組の重複予約を検出し（ステップＳ３）、視聴者からの指示に従って重複予約の確認を行うかどうかを判断する（ステップＳ４）。重複予約の確認を行うと判断した場合（ＹＥＳの場合）、予約時間が設定されたかどうかを判断する（ステップＳ５）。また、上記ステップＳ４において、重複予約の確認を行わないと判断した場合（ＮＯの場合）、デジタル放送受信機１０は重複番組を無視して予約を実行する（ステップＳ７）。
【００３２】
次に、デジタル放送受信機１０は、上記ステップＳ５において、視聴者により予約時間が設定されたと判断した場合（ＹＥＳの場合）、各重複番組の予約時間の設定を行う（ステップＳ６）。また、上記ステップＳ５において、視聴者により予約時間が設定されていないと判断した場合（ＮＯの場合）、重複番組を無視して予約を実行する（ステップＳ８）。次に、デジタル放送受信機１０は、視聴者により予約決定されたかどうかを判断し（ステップＳ９）、予約決定されたと判断した場合（ＹＥＳの場合）、変更後の番組予約を実行する（ステップＳ１０）。また、上記ステップＳ９において、予約決定されないと判断した場合（ＮＯの場合）、重複番組を無視して予約を実行する（ステップＳ１１）。
【図面の簡単な説明】
【００３３】
【図１】本発明の一実施形態に係るデジタル放送受信機の構成例を示すブロック図である。
【図２】図１に示したデジタル放送受信機により表示されるＥＰＧの画面例を示す図である。
【図３】本発明のデジタル放送受信機による番組予約方法の一例を説明するためのフロー図である。
【符号の説明】
【００３４】
１０…デジタル放送受信機、１１…アンテナ、１２…チューナ／復調部、１３，１８…ＲＡＭ、１４…トランスポートデコーダ、１５…メモリ、１６…受光部、１７…制御部、１９…ＡＶデコーダ、２０…エンコーダ、２１…ＯＳＤコントローラ、２２…リモコン、２３…表示装置、３０…電子番組表（ＥＰＧ）、３１…ニュース、３２…アニメ。
【図１】
2006217364.tif 000003
【図２】
2006217364.tif 000004
【図３】
2006217364.tif 000005